(57)【要約】【課題】開閉障子を横並びに設置する場合に、開閉障子同士の隙間を極力小さくすることのできるサッシの提供。【解決手段】方立１と、方立の右側に位置し左側端部室内側面が方立の室外側面に当接する右の開閉障子２ａと、方立の左側に位置し右側端部室内側面が方立の室外側面に当接する左の開閉障子２ｂと、左右の開閉障子の隙間に位置し左右の開閉障子を方立に開閉自在に連結する連結アーム３とを備え、連結アームは、一端部を方立の室外側面に固定し他端部を左右の開閉障子の隙間Ｓから左右の開閉障子よりも室外側に突出した方立側アーム４と、一端部を右の開閉障子の左側縁部に嵌め込み他端部を右の開閉障子よりも室外側に突出した右開閉障子側アーム５ａと、一端部を左の開閉障子の右側縁部に嵌め込み他端部を左の開閉障子よりも室外側に突出した左開閉障子側アーム５ｂと、左右の開閉障子側アームの室外側端部を方立側アームの室外側端部に対して回動自在に軸着する一本の水平軸６とから構成してあり、左右の開閉障子を突き出し自在または外倒し自在に方立に連結している。【選択図】      図１
2004250962.tif 000002
【特許請求の範囲】
【請求項１】
方立と、方立の右側に位置し左側端部室内側面が方立の室外側面に当接する右の開閉障子と、方立の左側に位置し右側端部室内側面が方立の室外側面に当接する左の開閉障子と、左右の開閉障子の隙間に位置し左右の開閉障子を方立に開閉自在に連結する連結アームとを備え、連結アームは、一端部を方立の室外側面に固定し他端部を左右の開閉障子の隙間から左右の開閉障子よりも室外側に突出した方立側アームと、一端部を右の開閉障子の左側縁部に嵌め込み他端部を右の開閉障子よりも室外側に突出した右開閉障子側アームと、一端部を左の開閉障子の右側縁部に嵌め込み他端部を左の開閉障子よりも室外側に突出した左開閉障子側アームと、左右の開閉障子側アームの室外側端部を方立側アームの室外側端部に対して回動自在に軸着する一本の水平軸とから構成してあり、左右の開閉障子を突き出し自在または外倒し自在に方立に連結していることを特徴とするサッシ。
【発明の詳細な説明】
【０００１】
【発明の属する技術分野】
本発明は、外倒し式又は突き出し式に開閉する開閉障子を横並びに有するサッシ（カーテンウォールを含む）に関するものである。
【０００２】
【従来の技術】
ビル用のサッシやカーテンウォールは、方立と無目とからなる格子状の骨組にガラス等のパネルを嵌め込んで大部分が嵌め殺し窓状に構成され、一部に火災時の排煙や換気等のために開閉障子が設けられる。一般的に方立は、角筒状の本体部の室外側に断面Ｔ字形のパネル保持部を一体に有する形状となっており、パネル保持部内にパネルの側縁部を呑み込ませ、パネル保持部内の隙間部分に押縁を嵌め込んでパネルを方立に固定している。開閉障子の部分では、方立のパネル保持部内に枠部材を取り付け、枠部材に取り付けたシール材に障子の框を当接させて、水密性と気密性を確保している。
【０００３】
上記の構造であると、開閉障子の縦框が方立からはみ出すことになり、嵌め殺し窓部と開閉障子の部分とでは外から見て窓枠の横幅が異なり、デザインの統一性・直線性が害される。近年では、方立や無目が外部から目立たないデザインを好む傾向が顕著に見られるが、開閉障子を横並びに配置する場合、これまでは開閉障子を保持させるために、常識的に左右の開閉障子同士の間に方立の一部、あるいは枠部材を介在させていることから（例えば、特許文献１参照。）、開閉障子同士の間にはある程度の間隔が開くことになり、開閉障子の部分の窓枠を目立たなくするのが困難であった。
【０００４】
【特許文献１】
特開昭６０−２３８５５１号公報（図３、図９）
【０００５】
【発明が解決しようとする課題】
本発明は以上に述べた実情に鑑みてなされたものであって、開閉障子を横並びに設置する場合に、開閉障子同士の隙間を極力小さくすることのできるサッシの提供を目的とする。
【０００６】
【課題を解決するための手段】
上記の課題を達成するために本発明のサッシは、方立と、方立の右側に位置し左側端部室内側面が方立の室外側面に当接する右の開閉障子と、方立の左側に位置し右側端部室内側面が方立の室外側面に当接する左の開閉障子と、左右の開閉障子の隙間に位置し左右の開閉障子を方立に開閉自在に連結する連結アームとを備え、連結アームは、一端部を方立の室外側面に固定し他端部を左右の開閉障子の隙間から左右の開閉障子よりも室外側に突出した方立側アームと、一端部を右の開閉障子の左側縁部に嵌め込み他端部を右の開閉障子よりも室外側に突出した右開閉障子側アームと、一端部を左の開閉障子の右側縁部に嵌め込み他端部を左の開閉障子よりも室外側に突出した左開閉障子側アームと、左右の開閉障子側アームの室外側端部を方立側アームの室外側端部に対して回動自在に軸着する一本の水平軸とから構成してあり、左右の開閉障子を突き出し自在または外倒し自在に方立に連結していることを特徴とする。
【０００７】
【発明の実施の形態】
以下、本発明の実施の形態を図面に基づいて説明する。図１から図７は本発明のサッシの一実施形態を示している。このサッシは、躯体７に固定して複数本の方立１を一定の間隔をおいて鉛直に設け、方立１の上端部に上の無目材８を架設し、方立１の中間部に中間の無目材９を架設し、方立１の下端部に下の無目材１０を架設して骨組を構成し、方立１と上の無目材８と中間の無目材９とで構成される開口部に外倒し式に開閉する開閉障子２ａ，２ｂ，，，を設け、方立１と中間の無目材９と下の無目材１０とで構成される開口部に複層のガラスパネル１１を嵌め殺し状に保持させて固定障子１２を構成してある。開閉障子２ａ，２ｂは、その下端側であって、左右の開閉障子２ａ，２ｂの隙間の位置に設けた連結アーム３により、方立１の室外側に連結してある。
【０００８】
方立１は、角筒状となった方立本体１３と、その室外側の面に取り付けた方立補助材とで構成してある。方立補助材は、その方立が両サイドに位置するものか中間に位置するものか、開閉障子２ａ，２ｂに面した部分か固定障子１２の部分かによって、異なった形状となっている。図３に示すように、開閉障子２ａ，２ｂに面した部分であって、中間に位置する方立１の室外側には、方立１の左右両側に位置する開閉障子２ａ，２ｂの縦框１４ａの室内側面を受ける両側開閉障子用補助材１５が取り付けられ、一方、開閉障子２ａに面した部分であって、両サイドに位置する方立１の室外側には、片側に位置する開閉障子２ａの縦框１４ａの室内側面を受ける片側開閉障子用補助材１６と、開閉障子２ａの側面側をカバーするサイド部用補助材１７が取り付けられている。両側開閉障子用補助材１５と片側開閉障子用補助材１６の室外側面には、障子の縦框１４ａに密着するパッキン材１８を設けてある。また、方立１の固定障子１２の部分には、図７に示すように、ガラスパネル１１の室内側面を保持する固定障子室内側用補助材１９と、ガラスパネル１１の室外側面を保持する固定障子室外側用補助材２０とが取り付けられている。各方立補助材の方立本体１３への取り付けは、互いの相対面に設けた係合部２１を係合し、ビス２２で固定してなされている。
【０００９】
開閉障子２ａ，２ｂは、縦框１４ａと横框１４ｂを方形に枠組し、その内側に複層のガラスパネル２３を保持させて構成してある。また、左右の縦框１４ａと下側の横框１４ｂは、室内側の面と外側面部を構成しガラスパネル２３の室内側面を保持する框本体２４と、室外側の面を構成しガラスパネル２３の室外側面を保持する押縁２５とで構成してある。開閉障子２ａ，２ｂの上側及び左右の外側面にはタイト材２６を備え、雨水の浸入を阻止している。また四周の框１４ａ，１４ｂの室内側面には、パッキン材１８を密着させている。
【００１０】
開閉障子２ａ，２ｂは、１０ミリの隙間Ｓを空けて横並びに配置され、その隙間Ｓを利用して連結アーム３を設置してある。連結アーム３は、方立１に固定される方立側アーム４と、方立１の左右に位置する開閉障子２ａ，２ｂにそれぞれ取り付けられる左右の開閉障子側アーム５ａ，５ｂとからなる。方立側アーム４は、方立１の室外側面にビス２７で固定される取付板２８を備え、取付板２８の室外側に、開閉障子２ａ，２ｂの隙間Ｓから障子の室外側まで突出する支持アーム２９を備え、且つ支持アーム２９の先端部には水平軸６を備える。取付板２８が取り付く部分は、両側開閉障子用補助材１５を切除してある。なお、両サイドの方立１に取り付けられる方立側アーム４は、取付板２８を有しておらず、支持アーム２９の室内側端部を方立のサイド部用補助材１７にビス２７で固定してある。左右の開閉障子側アーム５ａ，５ｂは、障子の縦框１４ａ内に差し込まれ縦框１４ａにビス３０で固定される取付部３１と、障子の室外側に突出して水平軸６に回転自在に係合する軸係合部３２とを備える。開閉障子側アームの取付部３１は、図６に示すように、縦框１４ａ用の押縁２５の下端部を切り欠いて形成した孔３３から框内に差し込まれ、縦框１４ａの外側面部の内面側に当接し、外側からビス３０で固定されている。取付部３１は孔３３と嵌合して強固に固定され、また孔３３は軸係合部３２の室内側面によって塞がれ、框内への雨水の浸入が阻止される。軸係合部３２は、水平軸６を差し込むための切り欠き３４を有し、且つ水平軸６と当る部分が軸押え３５として別体で構成されている。軸押え３５は、止めネジ３６によって軸係合部３２に固定される。開閉障子２ａ，２ｂは、両側の水平軸６，６を支点として回転し、いわゆる外倒し式に開閉自在となる。
【００１１】
開閉障子２ａ，２ｂを方立１に取り付ける際の手順を述べると、まず、方立側アーム４と左右の開閉障子側アーム５ａ，５ｂは、方立１と開閉障子２ａ，２ｂにそれぞれ取り付けておく。この時、軸押え３５は、軸係合部３２から外しておく。次に、開閉障子側アーム５ａ，５ｂの軸係合部３２の切り欠き３４に方立側アーム４の水平軸６を挿入した後、軸押え３５を軸係合部３２に嵌め込んで水平軸６を軸係合部３２に保持させる。次に、軸係合部３２に止めネジ３６を捩じ込み、その先端で軸押え３５を固定する。最後に方立１と開閉障子２ａ，２ｂの間に連結部材３７を取り付ける。連結部材３７は、開閉障子２ａ，２ｂが一定の角度以上開かないようにするためのもので、伸縮するピストン状のものや折れ曲るリンク状のもの、ワイヤ等を使用できる。
【００１２】
隣接する開閉障子の縦框１４ａを合わせた横幅Ａは、その下側に位置する固定障子１２の縦枠の横幅Ａ（固定障子室外側用補助材２０の室外側面の横幅Ａ）と同じにしてあり、開閉障子２ａ，２ｂと固定障子１２の部分とで外観意匠に統一性・直線性を持たせている。
【００１３】
本発明は、以上に述べた実施形態に限定されない。連結アーム３を開閉障子２ａ，２ｂの上側端部に設けた場合には、開閉障子２ａ，２ｂは上側を支点として突き出し式に開閉するものとなる。方立側アーム４の水平軸６は、方立側アーム４に一体に形成したものに限らず、方立側アーム４とは別体とし、左右の開閉障子側アーム５ａ，５ｂと方立側アーム４に後から差し込むものであっても良い。左右の開閉障子側アーム５ａ，５ｂは、その取付部３１が、開閉障子の側面から外側にはみ出さないように、框に嵌め込んで固定してあればよく、例えばアームの取付部３１を、縦框１４ａや横框１４ｂの側面や室外側面に孔や切り欠きを設けて嵌め込み、固定することができる。
【００１４】
【発明の効果】
本発明のサッシは、外倒し又は突き出し式に開閉する開閉障子を横並びに設ける場合に、開閉障子同士の隙間を極力小さくすることができる。このことは、開閉障子の部分のデザイン設計の自由度を向上させ、洗練された外観意匠の実施を容易に可能とする利点がある。また、開閉障子を方立に取り付ける作業性も良好である。
【図面の簡単な説明】
【図１】図２におけるＡ−Ａ断面図である。
【図２】本発明のサッシの一実施形態を示す室外側正面図である。
【図３】図２におけるＢ−Ｂ断面図である。
【図４】図２におけるＣ−Ｃ断面図である。
【図５】連結アーム部を示す斜視図である。
【図６】障子側アームの取付構造の一形態を示す分解斜視図である。
【図７】図２におけるＤ−Ｄ断面図である。
【符号の説明】
１  方立
２ａ  右の開閉障子
２ｂ  左の開閉障子
３  連結アーム
４  方立側アーム
５ａ  右開閉障子側アーム
５ｂ  左開閉障子側アーム
６  水平軸
【図１】
2004250962.tif 000003
【図２】
2004250962.tif 000004
【図３】
2004250962.tif 000005
【図４】
2004250962.tif 000006
【図５】
2004250962.tif 000007
【図６】
2004250962.tif 000008
【図７】
2004250962.tif 000009